(57)【特許請求の範囲】
【請求項１】
パチンコ遊技台を列設したパチンコ島に、前記パチンコ遊技台に併設されてカードを販売するための複数のカード販売部と、前記複数のカード販売部に対して共通に設けられたカード供給部と、前記カード供給部から前記カードを前記カード販売部に搬送するためのカード搬送手段と、前記カードに販売金額を記録するための記録手段とを設けたパチンコ遊技用プリペイドカード販売機であって、
前記販売金額を記録していない前記カード（以下、無記録カードという）を前記カード供給部に保管する無記録カード保管手段と、
前記カード供給部に設けた前記記録手段により前記無記録カードに異なる前記販売金額を記録した各カード（以下、異金額カードという）を作る異金額記録手段と、
前記異金額カードを前記搬送手段により前記カード販売部に設けたカード保管部に供給して保管する異金額カード保管手段と、
前記カード販売部に設けられていて、前記異金額カードのうちの所望のカードを選択して購入するためのカード選択手段と、
前記カード保管部に保管している前記異金額カードを所定の枚数にするために、不足する枚数の前記異金額カードを前記カード供給部から前記カード搬送手段によって前記カード保管部に供給する異金額カード補充手段と、
を具備することを特徴とするパチンコ遊技用プリペイドカード販売機。
【発明の詳細な説明】
【０００１】
【発明の属する技術分野】
本発明は、パチンコ遊技の際に使用するプリペイドカード（以下、単にカードと云うことがある）の販売機に係わり、特に詳しくはパチンコ遊技台の側でカードを販売する装置に関する。
【０００２】
【従来の技術】
この種のカード販売機としては、例えば図３に示したように横ならびに列設したパチンコ遊技台１同士の間に、台間玉貸し機２と共に設置されてパチンコ島を構成するカード販売機３Ａが周知である。
【０００３】
カード販売機３Ａは、紙幣投入口３１とカード保管部３２とカード選択ボタン３３とカード販売口３４とを備えており、上記構成のパチンコ島のパチンコ遊技台１で遊技する場合には、先ず、カード販売機３Ａの紙幣投入口３１に必要な枚数の紙幣を投入して適宜のカード選択ボタン３３を押し、所望の金額のカードＣをカード販売口３４で受け取る（カードを持っていない遊技客の場合）。
【０００４】
そして、このカードＣを台間玉貸し機２のカード挿入口２１に挿入して玉購入ボタン２２を押すと、玉皿１１に玉供給部から図示しないパチンコ玉が払い出されるので、このパチンコ玉によって遊技するようになっている。
【０００５】
【発明が解決しようとする課題】
しかし、パチンコ遊技台に併設される上記従来のカード販売機は、それ自体にカードを補充する機能を備えていないため、開店する前に従業員がカウンター横などに設置した他のカード販売機からカードを必要な枚数だけ購入し、それぞれのカード保管部に所要の枚数のカードを保管していたので、準備に時間が掛かると共に、カウンター横などに設置したカード販売機からカードを購入する資金を準備する必要もあった。
【０００６】
また、準備したカードの全てが遊技客によって購入されるとは限らないし、カードの準備と遊技客への販売に時間差があるので、この間資金を寝かすことになると云った問題点もあり、これら問題点の解決が課題となっていた。
【０００７】
【課題を解決するための手段】
上記課題を解決するため本発明は、
パチンコ遊技台を列設したパチンコ島に、上記のパチンコ遊技台に併設されてカードを販売するための複数のカード販売部と、上記の複数のカード販売部に対して共通に設けられたカード供給部と、上記のカード供給部から上記のカードを上記のカード販売部に搬送するためのカード搬送手段と、上記のカードに販売金額を記録するための記録手段とを設けたパチンコ遊技用プリペイドカード販売機において、
【０００８】
上記の販売金額を記録していない上記のカード（以下、無記録カードという）を上記のカード供給部に保管する無記録カード保管手段と、
上記のカード供給部に設けた上記の記録手段により上記の無記録カードに異なる上記の販売金額を記録した各カード（以下、異金額カードという）を作る異金額記録手段と、
【０００９】
上記の異金額カードを上記の搬送手段により上記のカード販売部に設けたカード保管部に供給して保管する異金額カード保管手段と、
上記のカード販売部に設けられていて、上記の異金額カードのうちの所望のカードを選択して購入するためのカード選択手段と、
【００１０】
上記のカード保管部に保管している上記の異金額カードを所定の枚数にするために、不足する枚数の上記の異金額カードを上記のカード供給部から上記のカード搬送手段によって上記のカード保管部に供給する異金額カード補充手段と
を設けた構成を提供するものである。
【００１１】
【発明の実施の形態】
（第１の実施形態）
以下、図１に基づいて本発明の第１の実施形態を説明する。なお、理解を容易にするため、図１においても前記図３において説明した部分と同様の機能を有する部分には同一の符号を付した。
【００１２】
本発明のパチンコ遊技用カード販売機は、パチンコ遊技台１それぞれに併設するカード販売部３と、島端など所望の部位に設置されるカード供給部４と、このカード供給部４からカード販売部３にカードＣを搬送するカード搬送手段５と、カード販売部３で販売したカードＣの代金を入れる金庫６と、各部の機能動作部を制御する制御装置７とを備えて形成する。
【００１３】
カード供給部４は、販売金額を記録していない多数のカードＣ0 が保管できるように形成すると共に、カードＣ0 に使用可能な販売金額を磁化するなどして記録する、それ自体は従来周知の記録手段４１と、保管しているカードＣ0 を記録手段４１に１枚づつ供給し、記録手段４１によって販売金額を記録して販売用のカードＣとしたのち、カード搬送手段５に臨む位置までカードＣを１枚づつ搬送する、図示しない搬送手段とを備えて形成する。
【００１４】
カード搬送手段５は、記録手段４１によって販売金額が記録され、販売可能な状態になったカードＣをカード供給部４から受け取って、カード販売部３のカード保管部３２に搬送するための、図示しない受け取り機能部・搬送機能部・受け渡し機能部などを備えて形成する。
【００１５】
カード販売部３は、少なくとも紙幣投入口３１と、複数の空間に区画され、販売金額の異なるカードＣがそれぞれに分離して１枚づつ保管できるカード保管部３２と、所望の金額のカードＣを選択して購入するためのカード選択ボタン３３と、カード保管部３２に連通し、販売時にカード保管部３２からカードＣを払い出すことのできるカード販売口３４とを備えるようにする。また、このカード販売部３には、カード保管部３２の区画されたそれぞれの空間にカードＣが保管されているか否かを検出するための在庫センサ３５を設置する。
【００１６】
そして、この在庫センサ３５と制御装置７とを接続し、在庫センサ３５によって在庫がゼロになったカードＣが確認されると、制御装置７は、カード供給部４からカード販売部３のカード保管部３２に、在庫がゼロになったカードＣを１枚供給する制御命令を出力するように構成する。
【００１７】
また、制御装置７は、カード選択ボタン３３が操作されると、カード保管部３２に保管している対応するカードＣをカード販売口３４に搬送して販売する、販売制御機能を備えるように構成する。さらに、制御装置７は、カード販売部３毎にカードＣの販売金額が管理できるように構成しても良い。
【００１８】
したがって、上記構成のパチンコ遊技用カード販売機によれば、カード販売部３のカード保管部３２にカード供給部４からカードＣが必ず供給されるので、従来のように開店する前に従業員がカウンター横などに設置したカード販売機からカードＣを必要な枚数だけ購入し、パチンコ遊技台１それぞれに併設する全てのカード販売機３Ａの、図示しないカード保管部それぞれに所要の枚数のカードＣを挿入すると云った、面倒な準備作業が不要になる。また、販売のために準備するカードＣの枚数が少なくて済むため、運転資金の圧縮が図れる。
【００１９】
このように、販売用のカードＣがパチンコ遊技台１それぞれに併設するカード販売部３のカード保管部３２に必ず保管されているので、カードＣが短時間で購入でき、遊技中にカード販売部３でカードＣを購入しようとしたが、保管しているカードＣがたまたまなくなっていて購入できなかったとか、遊技を中断しなければならないと云った不都合が解消され、遊技客のメリットも大きい。
【００２０】
（参考例）
以下、図２に基づいて本発明の参考例を説明する。なお、理解を容易にするため、図２においても前記図１・図３において説明した部分と同様の機能を有する部分には同一の符号を付した。
【００２１】
図２に示したカード販売機は、前記図１で説明した第１の実施形態においてカード供給部４に設けていた、カードＣ0 に販売金額を記録する記録手段４１を、パチンコ遊技台１それぞれに併設するカード販売部３に設けるようにしたものである。
【００２２】
そして、カード販売部３のカード保管部３２は、カードＣ0 の１種類だけが保管できるように構成する。
【００２３】
また、制御装置７は、カード選択ボタン３３が操作されると、カード保管部３２に保管しているカードＣ0 を記録手段４１に送って、操作されたカード選択ボタン３３に対応する金額をカードＣ0 に記録して販売用のカードＣとし、その後このカードＣをカード販売口３４に搬送して販売する。
【００２４】
さらに、制御装置７は、在庫センサ３５によってカード保管部３２におけるカードＣ0 の在庫がゼロになったことが確認されると、カード供給部４からそのカード保管部３２に、カードＣ0 を１枚供給する制御命令を出力するようにも構成する。
【００２５】
上記の第１の実施形態の構成を要約すると、概括的には、
パチンコ遊技台１を列設したパチンコ島に、パチンコ遊技台１に併設されてカードを販売するための複数のカード販売部３と、この複数のカード販売部３に対して共通に設けられたカード供給部４と、このカード供給部４から上記のカードをカード販売部３に搬送するためのカード搬送手段と、上記のカードに販売金額を記録するための記録手段とを設けたパチンコ遊技用プリペイドカード販売機において、
【００２６】
上記の販売金額を記録していない上記のカードＣ０、すなわち、無記録カードＣ０をカード供給部４に保管する無記録カード保管手段と、
カード供給部４に設けた上記の記録手段により上記の無記録カードＣ０に異なる上記の販売金額を記録した各カードＣ、すなわち、異金額カードＣを作る異金額記録手段と、
上記の異金額カードＣを上記の搬送手段によりカード販売部３に設けたカード保管部３２に供給して保管する異金額カード保管手段と、
カード販売部３２に設けられていて、上記の異金額カードＣのうちの所望のカードを選択して購入するためのカード選択手段と、
上記の保管している上記の異金額カードＣを所定の枚数、例えば、１枚または後記の変形実施ように２枚などの複数枚にするために、不足する枚数の上記の異金額カードＣをカード供給部４から上記のカード搬送手段によってカード保管部３２に供給する異金額カード補充手段と
を設けた構成を構成していることになるものである。
【００２７】
なお、本発明は上記実施形態に限定されるものではないので、特許請求の範囲に記載の趣旨から逸脱しない範囲で各種の変形実施が可能である。
【００２８】
例えば、カード保管部３２には通常の状態で複数、例えば２枚のカードを保管し、１枚販売する毎に１枚補充するように構成することもできる。このように構成すれば、カードＣを購入した遊技客が他のパチンコ遊技台１に移り、その後に他の遊技客が遊技しに来たような時にも、カードＣの販売が遅滞なく行える。
【００２９】
【発明の効果】
以上説明したように、本発明のパチンコ遊技用プリペイドカード販売機によれば、パチンコ遊技台それぞれに併設するカード販売部にカード供給部からカードが必ず供給されるので、従来のように開店する前に従業員がカウンター横などに設置した他のカード販売機からカードを必要な枚数だけ購入し、パチンコ遊技台それぞれに併設する全てのカード販売機に所要の枚数のカードＣを挿入すると云った、面倒な準備作業が不要になる。また、販売のために準備するカードの枚数が削減できたり、不要になるため、運転資金の圧縮が図れる。
【００３０】
また、パチンコ遊技台それぞれに併設するカード販売部にカードが必ず保管されているので、カードが短時間で購入でき、遊技中にカード販売部でカードを購入しようとしたが、保管しているカードがたまたまなくなっていて購入できなかったとか、遊技を中断しなければならないと云った不都合が解消され、遊技客のメリットも大きい。
【図面の簡単な説明】
【図１】  第１の実施形態を示す説明図。
【図２】  参考例を示す説明図。
【図３】  従来技術を示す説明図。
【符号の説明】
１  パチンコ遊技台
１１  玉皿
２  台間玉貸し機
２１  カード挿入口
３  カード販売部
３Ａ  カード販売機
３１  紙幣投入口
３２  カード保管部
３３  カード選択ボタン
３４  カード販売口
３５  在庫センサ
４  カード供給部
４１  記録手段
５  カード搬送手段
６  金庫
７  制御装置
Ｃ  プリペイドカード
Ｃ0  （販売金額が記録されていない）カード
【図１】
0004063347.tif 000002
【図２】
0004063347.tif 000003
【図３】
0004063347.tif 000004